(57)【要約】【課題】搬送波集成システムにおいてＨＡＲＱ ＲＲＴタイマーを設定する方法と装置を提供する。【解決手段】本発明は無線通信システムに関するものである。より具体的に、本発明は、搬送波集成システムにおいてＨＡＲＱ ＲＲＴタイマーを設定する方法及びその装置に関するものであり、基地局が少なくとも一つのＦＤＤサービングセル及び少なくとも一つのＴＤＤサービングセルを含む複数のセルを設定する段階、及び複数のセルの中でＦＤＤサービングセルに相当するセカンダリーセルを介してサブフレームｎでデータを送信する段階、及びプライマリーセルが複数のセルの中でＴＤＤサービングセルである場合、ＳＣｅｌｌを介してサブフレームｍ（ｍ≧ｎ＋ｋ＋４）でデータを再送信する段階を含み、ｋは下りリンク伝送と下りリンク伝送に関連したＨＡＲＱフィードバック伝送の間のインターバルである。【選択図】図９
2017522747.tif 000002
【特許請求の範囲】
【請求項１】
無線通信システムで動作する基地局に対する方法であって、
少なくとも一つのＦＤＤサービングセル及び少なくとも一つのＴＤＤサービングセルを含む複数のセルを設定する段階と、
前記複数のセルの中でＦＤＤサービングセルに相当するセカンダリーセル（ＳＣｅｌｌ）を介してサブフレームｎでデータを送信する段階と、
プライマリーセル（ＰＣｅｌｌ）が前記複数のセルの中でＴＤＤサービングセルである場合、前記ＳＣｅｌｌを介してサブフレームｍ（ｍ≧ｎ＋ｋ＋４）で前記データを再送信する段階と、を含み、
前記ｋは下りリンク伝送と前記下りリンク伝送に関連したＨＡＲＱフィードバック伝送の間のインターバルである、方法。
【請求項２】
前記ＰＣｅｌｌがＴＤＤサービングセルである場合、ＲＲＴタイマーをｋ＋４個のサブフレームに設定する、請求項１に記載の方法。
【請求項３】
前記ＰＣｅｌｌが前記複数のサービングセルの中でＦＤＤサービングセルである場合、前記ＳＣｅｌｌを介してサブフレームｍ（ｍ≧８）でデータを送信する、請求項１に記載の方法。
【請求項４】
前記ＰＣｅｌｌがＦＤＤサービングセルである場合、ＲＲＴタイマーを８個のサブフレームに設定する、請求項１に記載の方法。
【請求項５】
無線通信システムで動作する端末に対する方法であって、
ＦＤＤサービングセルであるセカンダリーセル（ＳＣｅｌｌ）を介してサブフレームｎでデータを受信する段階と、
プライマリーセル（ＰＣｅｌｌ）がＴＤＤサービングセルである場合、前記ＳＣｅｌｌを介してサブフレームｎ＋ｋ＋４から始まる前記データの再伝送をモニタリングする段階と、を含み、
前記ｋは前記ＳＣｅｌｌでの下りリンクデータ伝送と前記ＰＣｅｌｌでの下りリンクデータ伝送に関連したＨＡＲＱフィードバック伝送の間のインターバルである、方法。
【請求項６】
前記ＰＣｅｌｌがＴＤＤサービングセルである場合、ＲＲＴタイマーをｋ＋４個のサブフレームに設定する段階をさらに含む、請求項５に記載の方法。
【請求項７】
前記ＰＣｅｌｌがＦＤＤサービングセルである場合、ＲＲＴタイマーを８個のサブフレームに設定する段階をさらに含む、請求項５に記載の方法。
【請求項８】
前記ＰＣｅｌｌがＦＤＤサービングセルである場合、前記ＳＣｅｌｌを介してサブフレームｎ＋８から始まる前記データの再伝送をモニタリングする段階をさらに含む、請求項５に記載の方法。
【請求項９】
無線通信システムで動作する基地局であって、
ＲＦモジュールと、
前記ＲＦモジュールを制御するプロセッサと、を含み、
前記プロセッサは、少なくとも一つのＦＤＤサービングセル及び少なくとも一つのＴＤＤサービングセルを含む複数のセルを設定し、前記複数のセルの中でＦＤＤサービングセルに相当するセカンダリーセル（ＳＣｅｌｌ）を介してサブフレームｎでデータを送信し、プライマリーセル（ＰＣｅｌｌ）が前記複数のセルの中でＴＤＤサービングセルである場合、前記ＳＣｅｌｌを介してサブフレームｍ（ｍ≧ｎ＋ｋ＋４）で前記データを再送信し、前記ｋは下りリンク伝送と前記下りリンク伝送に関連したＨＡＲＱフィードバック伝送の間のインターバルである、基地局。
【請求項１０】
前記ＰＣｅｌｌがＴＤＤサービングセルである場合、ＲＲＴタイマーをｋ＋４個のサブフレームに設定する、請求項９に記載の基地局。
【請求項１１】
前記ＰＣｅｌｌが前記複数のサービングセルの中でＦＤＤサービングセルである場合、前記ＳＣｅｌｌを介してサブフレームｍでデータを送信し、ｍはｎ＋８より大きいか同一である整数である、請求項９に記載の基地局。
【請求項１２】
前記ＰＣｅｌｌがＦＤＤサービングセルである場合、ＲＲＴイマーを８個のサブフレームに設定する、請求項９に記載の基地局。
【請求項１３】
無線通信システムで動作する端末であって、
ＲＦモジュールと、
前記ＲＦモジュールを制御するプロセッサと、を含み、
前記プロセッサは、ＦＤＤサービングセルであるセカンダリーセル（ＳＣｅｌｌ）を介してサブフレームｎでデータを受信し、プライマリーセル（ＰＣｅｌｌ）がＴＤＤサービングセルである場合、前記ＳＣｅｌｌを介してサブフレームｎ＋ｋ＋４から始まる前記データの再伝送をモニタリングし、前記ｋは前記ＳＣｅｌｌでの下りリンクデータ伝送と前記ＰＣｅｌｌでの下りリンクデータ伝送に関連したＨＡＲＱフィードバック伝送の間のインターバルである、端末。
【請求項１４】
前記プロセッサは、前記ＰＣｅｌｌがＴＤＤサービングセルである場合、ＲＲＴタイマーをｋ＋４個のサブフレームに設定するようにさらに構成される、請求項１３に記載の端末。
【請求項１５】
前記プロセッサは、前記ＰＣｅｌｌがＦＤＤサービングセルである場合、ＲＲＴタイマーを８個のサブフレームに設定するようにさらに構成される、請求項１３に記載の端末。
【請求項１６】
前記プロセッサは、前記ＰＣｅｌｌがＦＤＤサービングセルである場合、前記ＳＣｅｌｌを介してサブフレームｎ＋８から始まる前記データの再伝送をモニタリングするようにさらに構成される、請求項１３に記載の端末。
【発明の詳細な説明】
【技術分野】
【０００１】
本発明は無線通信システムに関するもので、より詳しくは搬送波集成システムにおいてＨＡＲＱ ＲＲＴタイマーを設定する方法及びその装置に関するものである。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という）通信システムについて概略的に説明する。
【０００３】
図１は、無線通信システムの一例として、Ｅ−ＵＭＴＳ網の構造を概略的に示した図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ−ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンクまたは上りリンク送信サービスを提供する。互いに異なるセルは、互いに異なる帯域幅を提供するように設定することができる。基地局は、多数の端末に対するデータ送受信を制御する。下りリンク（Ｄｏｗｎｌｉｎｋ；ＤＬ）データに対して、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィックまたは制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡに基づいてＬＴＥまで開発されてきたが、ユーザと事業者の要求と期待は増加の一途にある。また、他の無線接続技術が継続して開発されているので、今後、競争力を有するためには新たな技術進化が要求され、ビット当たりの費用減少、サービス可用性増大、融通性のある周波数バンドの使用、単純構造と開放型インターフェース、端末の適度な電力消耗などが要求される。
【発明の概要】
【発明が解決しようとする課題】
【０００７】
本発明の目的は搬送波集成システムにおいてＨＡＲＱ ＲＲＴタイマーを設定する方法及びその装置を提供することである。本発明で遂げようとする技術的課題は、以上で言及した技術的課題に制限されず、言及していない他の技術的課題は、以下の記載から、本発明の属する技術の分野における通常の知識を有する者に明確に理解されるであろう。
【課題を解決するための手段】
【０００８】
本発明の目的は、無線通信システムで動作する基地局（ｂａｓｅ ｓｔａｔｉｏｎ）に対する方法であって、少なくとも一つのＦＤＤ（Ｆｒｅｑｕｅｎｃｙ Ｄｉｖｉｓｉｏｎ Ｄｕｐｌｅｘ；周波数分割デュプレックス）サービングセル及び少なくとも一つのＴＤＤ（Ｔｉｍｅ Ｄｉｖｉｓｉｏｎ Ｄｕｐｌｅｘ；時間分割デュプレックス）サービングセルを含む複数のセルを設定する段階、及び前記複数のセルの中でＦＤＤサービングセルに相当するセカンダリーセル（Ｓｅｃｏｎｄａｒｙ Ｃｅｌｌ；ＳＣｅｌｌ）を介してサブフレームｎでデータを送信する段階、及びプライマリーセル（Ｐｒｉｍａｒｙ Ｃｅｌｌ；ＰＣｅｌｌ）が前記複数のセルの中でＴＤＤサービングセルである場合、前記ＳＣｅｌｌを介してサブフレームｍ（ｍ≧ｎ＋ｋ＋４）で前記データを再送信する段階を含み、前記ｋは下りリンク伝送と前記下りリンク伝送に関連したＨＡＲＱ（Ｈｙｂｒｉｄ−ＡＲＱ）フィードバック伝送の間のインターバル（ｉｎｔｅｒｖａｌ）である方法を提供することによって達成することができる。
【０００９】
好ましくは、前記ＰＣｅｌｌがＴＤＤサービングセルである場合、ＲＲＴ（Ｒｏｕｎｄ Ｔｒｉｐ Ｔｉｍｅ）タイマーをｋ＋４個のサブフレームに設定する。
【００１０】
好ましくは、前記ＰＣｅｌｌがＦＤＤサービングセルである場合、ＲＲＴ（Ｒｏｕｎｄ Ｔｒｉｐ Ｔｉｍｅ）タイマーを８個のサブフレームに設定する。
【００１１】
好ましくは、前記方法は、前記ＰＣｅｌｌが前記複数のサービングセルの中でＦＤＤサービングセルである場合、前記ＳＣｅｌｌを介してサブフレームｍでデータを再送信する段階をさらに含み、ｍはｎ＋８より大きいか同一である整数である。
【００１２】
本発明の他の態様において、無線通信システムで動作する端末（ｕｓｅｒ ｅｑｕｉｐｍｅｎｔ）に対する方法であって、ＦＤＤ（Ｆｒｅｑｕｅｎｃｙ Ｄｉｖｉｓｉｏｎ Ｄｕｐｌｅｘ；周波数分割デュプレックス）サービングセルであるセカンダリーセル（Ｓｅｃｏｎｄａｒｙ Ｃｅｌｌ；ＳＣｅｌｌ）を介してサブフレームｎでデータを受信する段階、及びプライマリーセル（Ｐｒｉｍａｒｙ Ｃｅｌｌ；ＰＣｅｌｌ）がＴＤＤ（Ｔｉｍｅ Ｄｉｖｉｓｉｏｎ Ｄｕｐｌｅｘ；時間分割デュプレックス）サービングセルである場合、前記ＳＣｅｌｌを介してサブフレームｎ＋ｋ＋４から始まる前記データの再伝送をモニタリングする段階を含み、前記ｋは前記ＳＣｅｌｌでの下りリンクデータ伝送と前記ＰＣｅｌｌでの下りリンクデータ伝送に関連したＨＡＲＱ（Ｈｙｂｒｉｄ−ＡＲＱ）フィードバック伝送の間のインターバル（ｉｎｔｅｒｖａｌ）である方法が提供される。
【００１３】
好ましくは、前記方法は、前記ＰＣｅｌｌがＴＤＤサービングセルである場合、ＲＲＴ（Ｒｏｕｎｄ Ｔｒｉｐ Ｔｉｍｅ）タイマーをｋ＋４個のサブフレームに設定する段階をさらに含む。
【００１４】
好ましくは、前記方法は、前記ＰＣｅｌｌがＦＤＤサービングセルである場合、ＲＲＴ（Ｒｏｕｎｄ Ｔｒｉｐ Ｔｉｍｅ）タイマーを８個のサブフレームに設定する段階をさらに含む。
【００１５】
好ましくは、前記方法は、前記ＰＣｅｌｌがＦＤＤサービングセルである場合、前記ＳＣｅｌｌを介してサブフレームｎ＋８から始まる前記データの再伝送をモニタリングする段階をさらに含む。
【００１６】
上述した一般的な説明と次の本発明の詳細な説明は、例示的かつ説明的なものであり、本発明の更なる説明を提供するために意図されたものとして理解しなければならない。
【発明の効果】
【００１７】
本発明によると、搬送波集成システムにおいてＨＡＲＱ ＲＲＴタイマー設定を効果的に遂行することができる。具体的に、基地局はＰＣｅｌｌの状態によってデータを再送信することができ、また端末はＰＣｅｌｌの状態によってデータ再送信をモニタリングすることもできる。
【００１８】
本発明から得られる効果は、以上で言及した効果に制限されず、言及していない他の効果は、以下の記載から、本発明の属する技術の分野における通常の知識を有する者にとっては明らかになるであろう。
【図面の簡単な説明】
【００１９】
本明細書に添付される図面は、本発明に対する理解を提供するためのもので、本発明の様々な実施形態を示し、明細書の記載と共に本発明の原理を説明するためのものである。
【００２０】
【図１】無線通信システムの一例としてＥ−ＵＭＴＳネットワーク構造を概略的に示す図である。
【図２Ａ】Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ネットワーク構造を示すブロック図である。
【図２Ｂ】一般的なＥ−ＵＴＲＡＮとＥＰＣの構造を示すブロック図である。
【図３】３ＧＰＰ無線接続ネットワーク規格に基づいた端末とＥ−ＵＴＲＡＮ間の無線インターフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザ平面（Ｕｓｅｒ  Ｐｌａｎｅ）構造を示す図である。
【図４】本発明の実施例に係る通信装置のブロック図である。
【図５】無線フレーム構造を示す図である。
【図６】ＤＲＸ（Ｄｉｓｃｏｎｔｉｎｕｏｕｓ  Ｒｅｃｅｐｔｉｏｎ）動作の概念を示す図である。
【図７】ＬＴＥシステムにおけるＤＲＸ動作のための方法を示す図である。
【図８】搬送波集成（ｃａｒｒｉｅｒ  ａｇｇｒｅｇａｔｉｏｎ）を示す図である。
【図９】本発明の実施例による搬送波集成システムにおいてデータを再送信する方法に対する概念図である。
【図１０】本発明の実施例による搬送波集成システムにおいてＨＡＲＱ ＲＲＴタイマーを設定する方法に対する概念図である。
【発明を実施するための形態】
【００２１】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ−Ｔｅｒｍ  Ｅｖｏｌｕｔｉｏｎ）は、ＵＭＴＳを規格化する３ＧＰＰによって議論中にある。
【００２２】
３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位−レベル要求であって、ビット（ｂｉｔ）当たりの費用減少、増加したサービス可用性、周波数帯域の柔軟性、単純な構造、開放型インターフェース、及び端末の適切な電力消耗を要求する。
【００２３】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００２４】
本明細書は、ＬＴＥシステム及びＬＴＥ−Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ−ＦＤＤ方式又はＴＤＤ方式にも容易に変形して適用することができる。
【００２５】
図２Ａは、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ−ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００２６】
図２Ａに示したように、Ｅ−ＵＭＴＳ網は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ−ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ−ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００２７】
本明細書において、「下りリンク（ｄｏｗｎｌｉｎｋ）」は、ｅＮＢ２０から端末１０への通信を称し、「上りリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００２８】
図２Ｂは、一般的なＥ−ＵＴＲＡＮと一般的なＥＰＣの構造を示すブロック図である。
【００２９】
図２Ｂに示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００３０】
ｅＮＢ２０は、一般にＵＥ１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００３１】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む）遊休モード（ｉｄｌｅ  ｍｏｄｅ）ＵＥ接近性（Ｒｅａｃｈａｂｉｌｉｔｙ）、（遊休モード及び活性モード（ａｃｔｉｖｅ  ｍｏｄｅ）のＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラー設定を含むベアラー管理、（ＥＴＷＳ及びＣＭＡＳを含む）ＰＷＳメッセージ送信のためのサポートを含む多様な機能を行う。ＳＡＥゲートウェイホストは、パー−ユーザ（Ｐｅｒ−ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、ＵＥ  ＩＰアドレス割り当て、下りリンクでの送信（Ｔｒａｎｓｐｏｒｔ）レベルパケットマーキング、ＵＬ及びＤＬサービスレベル課金、ゲーティング及びレート強化、ＡＰＮ−ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００３２】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００３３】
図２Ｂに示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各ＵＥ１０のための動的リソース割り当て、ｅＮＢ測定の構成及び準備、無線ベアラー制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラー制御、及び非−接続層（Ｎｏｎ−Ａｃｃｅｓｓ  Ｓｔｒａｔｕｍ、ＮＡＳ）シグナリングの暗号化及び無欠性保護などの各機能を行うことができる。
【００３４】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング−ゲートウェイ（ｓｅｒｖｉｎｇ−ｇａｔｅｗａｙ、Ｓ−ＧＷ）、及びパケットデータネットワーク−ゲートウェイ（Ｐａｃｋｅｔ  Ｄａｔａ  Ｎｅｔｗｏｒｋ−Ｇａｔｅｗａｙ、ＰＤＮ−ＧＷ）を含む。ＭＭＥは、主に各端末の移動性を管理する目的で用いられる接続及び可用性に対する情報を有する。Ｓ−ＧＷは、Ｅ−ＵＴＲＡＮを終端点として有するゲートウェイで、ＰＤＮ−ＧＷは、パケットデータネットワーク（ＰＤＮ）を終端点として有するゲートウェイである。
【００３５】
図３は、３ＧＰＰ無線接続網規格を基盤にした端末とＥ−ＵＴＲＡＮとの間の無線インターフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００３６】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。伝送チャネルを介して媒体接続制御層と物理層との間にデータが移動する。送信側と受信側の物理層間には、物理チャネルを介してデータが移動する。物理チャネルは、時間と周波数を無線リソースとして活用する。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３７】
第２の層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は、信頼性のあるデータ送信をサポートする。ＲＬＣ層の機能は、ＭＡＣ内部の機能ブロックで具現することもできる。第２の層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００３８】
第３の層の最下部に位置した無線リソース制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワークとの間のデータ伝達のために第２の層によって提供されるサービスを意味する。このために、端末とネットワークのＲＲＣ層は、互いにＲＲＣメッセージを交換する。
【００３９】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００４０】
Ｅ−ＵＴＲＡＮから端末への送信のための下りリンク伝送チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するための下りリンク共有チャネル（Ｓｈａｒｅｄ  Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ  Ｃｈａｎｎｅｌ）を介して送信することもできる。
【００４１】
端末からネットワークにデータを送信する上りリンク伝送チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信する上りリンクＳＣＨ（Ｓｈａｒｅｄ  Ｃｈａｎｎｅｌ）とがある。伝送チャネルの上位にあり、伝送チャネルにマッピングされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００４２】
図４は、本発明の実施例に係る通信装置のブロック図である。
【００４３】
図４に示された装置は、上述したメカニズムを行うように適応されたユーザ装置（Ｕｓｅｒ  Ｅｑｕｉｐｍｅｎｔ、ＵＥ）及び／又はｅＮＢであってもよいが、同じ作業を行う任意の装置であってもよい。
【００４４】
図４に示したように、装置は、ＤＳＰ（Ｄｉｇｉｔａｌ  Ｓｉｇｎａｌ  Ｐｒｏｃｅｓｓｏｒ）／マイクロプロセッサ１１０及びＲＦ（Ｒａｄｉｏ  Ｆｒｅｑｕｅｎｃｙ）モジュール（送受信機；１３５）を含むこともできる。ＤＳＰ／マイクロプロセッサ１１０は、送受信機１３５に電気的に接続されて送受信機１３５を制御する。装置は、設計者の選択によって、電力管理モジュール１０５、バッテリー１５５、ディスプレイ１１５、キーパッド１２０、ＳＩＭカード１２５、メモリデバイス１３０、スピーカー１４５及び入力デバイス１５０をさらに含むこともできる。
【００４５】
特に、図４は、ネットワークから要請メッセージを受信するように構成された受信機１３５及びネットワークに送／受信タイミング情報を送信するように構成された送信機１３５を含む端末を示してもよい。このような受信機と送信機は送受信機１３５を構成できる。端末は、送受信機（受信機及び送信機、１３５）に接続されたプロセッサ１１０をさらに含むこともできる。
【００４６】
また、図４は、端末に要請メッセージを送信するように構成された送信機１３５及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延（ｌａｔｅｎｃｙ）を計算することもできる。
【００４７】
図５には、無線フレーム構造を示す。セルラーＯＦＤＭ無線パケット通信システムにおいて、上りリンク／下りリンクデータパケット伝送は、サブフレーム単位で行われる。サブフレームは、複数のＯＦＤＭシンボルを含む所定の時間間隔（ｔｉｍｅ  ｉｎｔｅｒｖａｌ）と定義される。ＬＴＥ（−Ａ）は、ＦＤＤ（ｆｒｅｑｕｅｎｃｙ  ｄｉｖｉｓｉｏｎ  ｄｕｐｌｅｘ）に適用可能なタイプ−１無線フレーム構造、及びＴＤＤ（ｔｉｍｅ  ｄｉｖｉｓｉｏｎ  ｄｕｐｌｅｘ）に適用可能なタイプ−２無線フレーム構造を支援する。
【００４８】
図５（ａ）は、タイプ−１無線フレーム構造を示す図である。下りリンクサブフレームは１０個のサブフレームを含み、それぞれのサブフレームは時間領域で２個のスロットを含む。１つのサブフレームを送信するための時間は、伝送時間間隔（ｔｒａｎｓｍｉｓｓｉｏｎ  ｔｉｍｅ  ｉｎｔｅｒｖａｌ（ＴＴＩ））と定義される。例えば、それぞれのサブフレームは１ｍｓの長さを有し、各スロットは０．５ｍｓの長さを有する。１つのスロットは、時間領域で複数個のＯＦＤＭシンボルを有し、周波数領域で複数個のリソースブロック（ＲＢ）を有する。ＬＴＥ（−Ａ）で下りリンクはＯＦＤＭを用いるので、ＯＦＤＭシンボルはシンボル周期（ｓｙｍｂｏｌ  ｐｅｒｉｏｄ）を表す。ＯＦＤＭシンボルは、ＳＣ−ＦＤＭＡシンボル又はシンボル周期と呼ぶこともできる。リソース割り当て単位としてのＲＢは、１つのスロット内に複数の連続した副搬送波を含むことができる。
【００４９】
１つのスロットに含まれるＯＦＤＭシンボルの個数はＣＰ（ｃｙｃｌｉｃ  ｐｒｅｆｉｘ）構成に依存する。例えば、ＯＦＤＭシンボルが正規ＣＰ（ｎｏｒｍａｌ  ＣＰ）で構成される場合、１スロットに含まれるＯＦＤＭシンボルは７個であってもよい。ＯＦＤＭシンボルが拡張されたＣＰ（ｅｘｔｅｎｄｅｄ  ＣＰ）で構成される場合、１スロットに含まれるＯＦＤＭシンボルは６個であってもよい。
【００５０】
図５（ｂ）は、タイプ−２無線フレーム構造を示す図である。タイプ−２無線フレームは、２個のハーフフレーム（ｈａｌｆ  ｆｒａｍｅ）を有する。それぞれのハーフフレームは５個のサブフレームを含み、各サブフレームは２個のスロットで構成される。
【００５１】
表１には、ＴＤＤモードで１つの無線フレーム内のサブフレームのＵＬ−ＤＬ（上りリンク−下りリンク）構成を示す。
【表１】
2017522747.tif 000003
【００５２】
表１で、Ｄは下りリンクサブフレームを表し、Ｕは上りリンクサブフレームを表し、Ｓはスペシャルフレームを表す。
【００５３】
スペシャルフレームは、ＤｗＰＴＳ（ｄｏｗｎｌｉｎｋ  ｐｉｌｏｔ  ｔｉｍｅｓｌｏｔ）、ＧＰ（ｇｕａｒｄ  ｐｅｒｉｏｄ）及びＵｐＰＴＳ（ｕｐｌｉｎｋ  ｐｉｌｏｔ  ｔｉｍｅｓｌｏｔ）を含む。ＤｗＰＴＳは下りリンク伝送のための時間（ｐｅｒｉｏｄ）であり、ＵｐＰＴＳは上りリンク伝送のための時間である。
【００５４】
表２には、スペシャルフレーム構成によるＤｗＰＴＳ／ＧＰ／ＵｐＰＴＳの長さを示す。表２で、Ｔｓはサンプリング時間を表す。
【表２】
2017522747.tif 000004
【００５５】
上記の無線フレーム構造は例示的なものであり、無線フレームに含まれるサーフフレームの個数、１つのサブフレームに含まれるスロットの個数、及び１つのスロットに含まれるシンボルの個数は変動してもよい。
【００５６】
図６は、ＤＲＸ（Ｄｉｓｃｏｎｔｉｎｕｏｕｓ  Ｒｅｃｅｐｔｉｏｎ）動作の概念図である。
【００５７】
図６を参照すると、ＲＲＣ＿ＣＯＮＮＥＣＴＥＤ状態の端末に対してＤＲＸが設定されると、端末は、下りリンクチャネル、すなわち、ＰＤＣＣＨを受信しようと試み、所定の時間でのみＰＤＣＣＨモニタリングを行い、余りの時間ではＰＤＣＣＨモニタリングを行わない。端末がＰＤＣＣＨモニタリングを行うべき時間を「オンデューレーション（ｏｎ  ｄｕｒａｔｉｏｎ）」と呼ぶ。ＤＲＸ周期当たりに１つのオンデューレーションが定義される。すなわち、１つのＤＲＸ周期はオンデューレーションの反復周期である。
【００５８】
端末は、１つのＤＲＸ周期内のオンデューレーションでＰＤＣＣＨを常にモニタリングし、ＤＲＸ周期は、オンデューレーションが設定される時間を決定する。ＤＲＸ周期は、ＤＲＸ周期の時間によって、長いＤＲＸ周期と短いＤＲＸ周期とに区別される。長いＤＲＸ周期は、端末のバッテリー消耗を最小化することができ、短いＤＲＸ周期は、データ伝送遅延を最小化することができる。
【００５９】
端末がＤＲＸ周期内のオンデューレーションでＰＤＣＣＨを受信すると、オンデューレーション以外の時間で追加の伝送又は再伝送が起きてもよい。このため、端末は、オンデューレーション以外の時間でＰＤＣＣＨをモニタリングする必要がある。すなわち、端末はオンデューレーション管理タイマー（ｏｎＤｕｒａｔｉｏｎＴｉｍｅｒ）だけでなく、非活性管理タイマー（ｄｒｘ−ＩｎａｃｔｉｖｉｔｙＴｉｍｅｒ）と再伝送管理タイマー（ｄｒｘ−ＲｅｔｒａｎｓｍｉｓｓｉｏｎＴｉｍｅｒ）が動作する時間でＰＤＣＣＨモニタリングを行わなければならない。
【００６０】
上記の各タイマーの値はサブフレームの個数と定義される。サブフレームの個数は、タイマー値に到達するまでカウントされる。タイマー値が満たすと、タイマーは終了する。現在のＬＴＥ標準は、ｄｒｘ−ＩｎａｃｔｉｖｉｔｙＴｉｍｅｒを、最初のＵＬ又はＤＬユーザデータ伝送を示すＰＤＣＣＨの成功的なデコーディング後の連続したＰＤＣＣＨ−サブフレームの個数と定義し、ｄｒｘ−ＲｅｔｒａｎｓｍｉｓｓｉｏｎＴｉｍｅｒを、端末によってＤＬ再伝送が予想される連続したＰＤＣＣＨ−サブフレームの最大の個数と定義する。
【００６１】
また、端末は、ランダムアクセスの間に又はスケジューリング要求を送信してＵＬグラントを受信しようと試みる際、ＰＤＣＣＨモニタリングを行わなければならない。
【００６２】
端末がＰＤＣＣＨモニタリングを行うべき期間を活性化時間（ａｃｔｉｖｅ  ｔｉｍｅ）と呼ぶ。活性化時間は、ＰＤＣＣＨを周期的にモニタリングするオンデューレーション、及びイベントが発生するとＰＤＣＣＨをモニタリングする時間を含む。
【００６３】
より詳しくは、上記の活性化時間は、（１）ｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ又はｍａｃ−ＣｏｎｔｅｎｔｉｏｎＲｅｓｏｌｕｔｉｏｎＴｉｍｅｒが動作する時間、（２）スケジューリング要求がＰＵＣＣＨを介して送信される時間、（３）行われているＨＡＲＱ再伝送のための上りリンクグラントが発生してもよく、該当のＨＡＲＱバッファにデータが存在する時間、又は（４）端末が選択していないプリアンブルに対するランダムアクセス応答の成功的な受信後に、端末のＣ−ＲＮＴＩにアドレシングされた新しい伝送を示すＰＤＣＣＨが受信されていない時間、を含む。
【００６４】
図７は、ＬＴＥシステムにおけるＤＲＸ動作のための方法を示す図である。
【００６５】
図７を参照すると、端末は、ＤＲＸ機能を有するＲＲＣによって構成され、それぞれのＴＴＩ（すなわち、それぞれのサブフレーム）に対する次の動作を行う。
【００６６】
ＨＡＲＱ  ＲＴＴ（Ｒｏｕｎｄ  Ｔｒｉｐ  Ｔｉｍｅ）タイマーは端末がＤＬ ＨＡＲＱを予想する前にサブフレームの最小量を規定するパラメーターである。
【００６７】
ＨＡＲＱ  ＲＴＴ（Ｒｏｕｎｄ  Ｔｒｉｐ  Ｔｉｍｅ）タイマーが該当のサブフレームで満了し、該当のＨＡＲＱプロセスのデータが成功的にデコードされないと、端末は該当のＨＡＲＱプロセスのためのｄｒｘ−ＲｅｔｒａｎｓｍｉｓｓｉｏｎＴｉｍｅｒを起動する。
【００６８】
また、ＤＲＸ命令ＭＡＣ  ＣＥ（ｃｏｎｔｒｏｌ  ｅｌｅｍｅｎｔ）が受信されると、端末は、ｏｎＤｕｒａｔｉｏｎＴｉｍｅｒとｄｒｘ−ＩｎａｃｔｉｖｉｔｙＴｉｍｅｒを中止する。ＤＲＸ命令ＭＡＣ  ＣＥは、ＤＲＸ状態への遷移のための命令であり、ＭＡＣ  ＰＤＵ（Ｐｒｏｔｏｃｏｌ  Ｄａｔａ  Ｕｎｉｔ）サブヘッダーのＬＣＩＤ（Ｌｏｇｉｃａｌ  Ｃｈａｎｎｅｌ  ＩＤ）フィールドによって識別される。
【００６９】
ｄｒｘ−ＩｎａｃｔｉｖｉｔｙＴｉｍｅｒが満了したり、又はＤＲＸ命令ＭＡＣ  ＣＥが該当のサブフレームで受信される場合、短いＤＲＸ周期が構成されると、端末はｄｒｘＳｈｏｒｔＣｙｃｌｅＴｉｍｅｒを起動又は再起動し、短いＤＲＸ周期を利用する。しかし、短いＤＲＸ周期が構成されないと、長いＤＲＸ周期が利用される。付加的に、ｄｒｘＳｈｏｒｔＣｙｃｌｅＴｉｍｅｒが当該サブフレームで満了すると、長いＤＲＸ周期も利用される。
【００７０】
現在のＭＡＣ標準文書（ｓｐｅｃｉｆｉｃａｔｉｏｎ）において、端末に対してＤＲＸ機能が構成されると、端末は、各サブフレームで次のようにｏｎＤｕｒａｔｉｏｎＴｉｍｅｒを起動するか否かを確認する。
【数１】
2017522747.tif 000005
【００７１】
式Ａ（すなわち、モジューロ−ＤＲＸ周期チェック）によれば、ＤＲＸ周期の期間が最大ＳＦＮ値より短いと仮定、すなわち、最大ＳＦＮ値が現在１０２３であり、ＤＲＸ周期が２５６０サブフレームに該当すると仮定するので、オンデューレーションはＤＲＸ周期当たりに１回現れる。端末の電力消耗をより一層減少させるために、ＤＲＸ周期を「最大ＳＦＮ値＊１０」、すなわち、１０２３０サブフレームよりも長く設定すると、オンデューレーションは１ ＤＲＸ周期内で複数回現れる。
【００７２】
端末は、上記活性化時間でＰＤＣＣＨ−サブフレームのためのＰＤＣＣＨをモニタリングする。ＰＤＣＣＨがＤＬ伝送を示したり、又はＤＬ割り当てが当該サブフレームのために構成された場合、端末は、該当のＨＡＲＱプロセスのためのＨＡＲＱ  ＲＴＴタイマーを起動し、該当のＨＡＲＱプロセスのためのｄｒｘ−ＲｅｔｒａｎｓｍｉｓｓｉｏｎＴｉｍｅｒを中止する。ＰＤＣＣＨが新しい（ＤＬ又はＵＬ）伝送を示すと、端末はｄｒｘ−ＩｎａｃｔｉｖｉｔｙＴｉｍｅｒを起動又は再起動する。
【００７３】
ここで、ＰＤＣＣＨ−サブフレームは、ＰＤＣＣＨを有するサブフレームと定義される。すなわち、ＰＤＣＣＨ−サブフレームは、ＰＤＣＣＨを伝送可能なサブフレームである。さらにいうと、ＦＤＤ（ｆｒｅｑｕｅｎｃｙ  ｄｉｖｉｓｉｏｎ  ｄｕｐｌｅｘ）システムにおいて、ＰＤＣＣＨ−サブフレームは任意のサブフレームを表す。全二重（ｆｕｌｌ−ｄｕｐｌｅｘ）ＴＤＤ（ｔｉｍｅ  ｄｉｖｉｓｉｏｎ  ｄｕｐｌｅｘ）システムにおいて、ＰＤＣＣＨ−サブフレームは、下りリンクサブフレームとｓｃｈｅｄｕｌｉｎｇＣｅｌｌＩｄが設定されたサービングセル（すなわち、スケジューリングされたセル）を除いた全サービングセルのＤｗＰＴＳを含むサブフレームとの組み合わせ（ｕｎｉｏｎ）を表す。ここで、ｓｃｈｅｄｕｌｉｎｇＣｅｌｌＩｄは、スケジューリングセルのＩＤを表す。半二重（ｈａｌｆ−ｄｕｐｌｅｘ）ＴＤＤシステムにおいて、ＰＤＣＣＨ−サブフレームは、ＰＣｅｌｌ（プライマリーセル）が下りリンクサブフレーム又はＤｗＰＴＳを含むサブフレームとして構成されるサブフレームを表す。
【００７４】
一方、活性化時間でないとき、端末は、基地局によってトリガされるＳＲＳ（Ｓｏｕｎｄｉｎｇ  Ｒｅｆｅｒｅｎｃｅ  Ｓｉｇｎａｌ）伝送及びＣＳＩ報告を行わない。
【００７５】
上記ＤＲＸ動作が行われる間、ＨＡＲＱ  ＲＴＴタイマーだけが８ｍｓと固定され、基地局は、他のタイマー値であるｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ及びｍａｃ−ＣｏｎｔｅｎｔｉｏｎＲｅｓｏｌｕｔｉｏｎＴｉｍｅｒをＲＲＣ信号を用いて端末に知らせる。また、基地局は、ＤＲＸ周期の期間を表す長いＤＲＸ周期及び短いＤＲＸ周期を、ＲＲＣ信号を用いて端末に知らせる。
【００７６】
二つのアンテナポート
【数２】
2017522747.tif 000006
でのＨＡＲＱ−ＡＣＫ伝送はＴＤＤ ＨＡＲＱ−ＡＣＫバンドリングフィードバックを有するＰＵＣＣＨ ｆｏｒｍａｔ １ａ／１ｂ又はＰＵＣＣＨ ｆｏｒｍａｔ ３によって支援される。
【００７７】
フレーム構造タイプ２を有する一つ以上のサービングセルで搬送波集成を支援する端末はチャネル選択を有するＰＵＣＣＨ ｆｏｒｍａｔ １ｂに対する二つのアンテナポート
【数３】
2017522747.tif 000007
でのＨＡＲＱ−ＡＣＫ伝送のために、上位階層で設定できる。
【００７８】
ＨＡＲＱ−ＡＣＫが設定された端末のためのＴＤＤ ＨＡＲＱ−ＡＣＫ手順は端末がただプライマリーセルでのみＰＤＳＣＨ又はＳＰＳ ｒｅｌｅａｓｅ ＰＤＣＣＨ／ＥＰＤＣＣＨを受信するときである。
【００７９】
仮に、端末がチャネル選択を有するＰＵＣＣＨ ｆｏｒｍａｔ １ｂを有する二つのアンテナポート伝送が設定されていない場合であれば、上位階層シグナリングに基づいて、単一サービングセルを有する端末は表３、４及び５セットによって、あるいは表６、７及び８セットによってチャネル選択が遂行されることができる。
【００８０】
仮に、端末がチャネル選択を有するＰＵＣＣＨ ｆｏｒｍａｔ １ｂを有する二つのアンテナポート伝送が設定された場合であれば、端末は表６、７及び９セットによってチャネル選択を遂行することができる。
【００８１】
【表３】
2017522747.tif 000008
【００８２】
【表４】
2017522747.tif 000009
【００８３】
【表５】
2017522747.tif 000010
【００８４】
【表６】
2017522747.tif 000011
【００８５】
【表７】
2017522747.tif 000012
【００８６】
【表８】
2017522747.tif 000013
【００８７】
【数４】
2017522747.tif 000014
【００８８】
【数５】
2017522747.tif 000015
【００８９】
【数６】
2017522747.tif 000016
【００９０】
図８は、搬送波集成を示す図である。
【００９１】
複数の搬送波を支援するための搬送波集成技術を、図８を参照して以下に説明する。上述したように、搬送波集成によって、既存の無線通信システム（例えば、ＬＴＥシステム）で定義された帯域幅単位（例えば２０ＭＨｚ）の最大５個の搬送波（ＣＣ（ｃｏｍｐｏｎｅｎｔ  ｃａｒｒｉｅｒ））をバンドリングする方式で最大１００ＭＨｚのシステム帯域幅を支援することができる。搬送波集成に用いられるコンポーネント搬送波は、同一又は別個の帯域幅サイズを有することができる。そして、コンポーネント搬送波は別個の周波数帯域（又は、中心周波数）を有することができる。コンポーネント搬送波は、隣接した周波数帯域に存在することができる。しかし、不連続した周波数帯域上に存在するコンポーネント搬送波も、搬送波集成に用いることができる。搬送波集成技術において、上りリンク及び下りリンクの帯域幅サイズは対称的又は非対称的に割り当てることができる。
【００９２】
搬送波集成のために用いられる複数の搬送波（コンポーネント搬送波）は、プライマリコンポーネント搬送波（ＰＣＣ）とセカンダリコンポーネント搬送波（ＳＣＣ）とに区別することができる。ＰＣＣは、Ｐセル（プライマリーセル）と呼ぶこともでき、ＳＣＣは、Ｓセル（セカンダリーセル）と呼ぶこともできる。プライマリコンポーネント搬送波は、基地局がトラフィック及び制御シグナリングを端末と交換するために用いる。この場合、制御シグナリングは、コンポーネント搬送波の追加、プライマリコンポーネント搬送波、上りリンク（ＵＬ）グラント、下りリンク（ＤＬ）割り当てのための設定などを含む。基地局は複数のコンポーネント搬送波を用いることができるが、該当の基地局に属した端末は、１つのプライマリコンポーネント搬送波だけを有するように設定することができる。端末が単一搬送波モードで動作する場合、プライマリコンポーネント搬送波が用いられる。このため、独立して用いられるように、プライマリコンポーネント搬送波は基地局と端末間のデータ及び制御シグナリングの交換のための全ての要件を満たすように設定される必要がある。
【００９３】
一方、セカンダリコンポーネント搬送波は、送受信されるデータの要求されるサイズによって活性化又は非活性化される付加的なコンポーネント搬送波を含むことができる。セカンダリコンポーネント搬送波は、基地局から受信される特定の命令及び規則にしたがってのみ用いられるように設定されてもよい。付加的な帯域幅を支援するために、セカンダリコンポーネント搬送波はプライマリコンポーネント搬送波と共に用いられるように設定されてもよい。活性化されたコンポーネント搬送波を介してＵＬグラント、ＤＬ割り当てなどのような制御信号を端末が基地局から受信することができる。活性化されたコンポーネント搬送波を介して、ＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）、ＲＩ（ｒａｎｋ  ｉｎｄｉｃａｔｏｒ）、ＳＲＳ（ｓｏｕｎｄｉｎｇ  ｒｅｆｅｒｅｎｃｅ  ｓｉｇｎａｌ）などのＵＬ制御信号を端末から（ＳＲＳ）基地局に送信することができる。
【００９４】
端末へのリソース割り当てのためにプライマリコンポーネント搬送波と複数のセカンダリコンポーネント搬送波を用いることができる。複数の搬送波集成モードで、システム負荷（すなわち、静的／動的負荷バランシング）、ピークデータ速度又はサービス品質要件に基づいて、システムはＤＬ及び／又はＵＬに非対称的にセカンダリコンポーネント搬送波を割り当てることができる。搬送波集成技術を利用するにあたって、コンポーネント搬送波の設定は、ＲＲＣ接続過程の後に基地局から端末に提供することができる。この場合、ＲＲＣ接続は、端末のＲＲＣレイヤとネットワーク間でＳＲＢを介して交換されるＲＲＣシグナリングに基づいて無線リソースが端末に割り当てられることを意味することができる。端末と基地局間のＲＲＣ接続過程が完了した後、基地局は、プライマリコンポーネント搬送波及びセカンダリコンポーネント搬送波に関する設定情報を端末に提供することができる。セカンダリコンポーネント搬送波に関する設定情報は、セカンダリコンポーネント搬送波の追加／削除（又は活性化／非活性化）を含むことができる。したがって、基地局と端末間のセカンダリコンポーネント搬送波を活性化したり、以前のセカンダリコンポーネント搬送波を非活性化するためには、ＲＲＣシグナリングとＭＡＣ制御要素を交換する必要がある。
【００９５】
セカンダリコンポーネント搬送波の活性化又は非活性化は、ＱｏＳ（ｑｕａｌｉｔｙ  ｏｆ  ｓｅｒｖｉｃｅ）、搬送波の負荷条件及びその他の要素に基づいて基地局が決定することができる。そして、基地局は、ＤＬ／ＵＬに対する指示タイプ（ｉｎｄｉｃａｔｉｏｎ  ｔｙｐｅ）（活性化／非活性化）、セカンダリコンポーネント搬送波リストなどの情報を含む制御メッセージを用いてセカンダリコンポーネント搬送波を設定するように端末に指示することができる。
【００９６】
一部のセルはＴＤＤモードで動作し、他のセルはＦＤＤモードで動作する複数のセルが端末に設定される場合（ＴＤＤ−ＦＤＤ連合動作（ｊｏｉｎｔ  ｏｐｅｒａｔｉｏｎ）という。）のためにサブフレーム構成が定義される。
【００９７】
ＴＤＤ−ＦＤＤ搬送波集成の場合、端末がＵＬ−ＣＡで構成されるかにかかわらず、Ｒｅｌ−１０／１１搬送波集成のように少なくともＰＣｅｌｌでのみ（ＰＣｅｌｌ−ｏｎｌｙ）のＰＵＣＣＨが支援される。
【００９８】
ＰＣｅｌｌのみでのＰＵＣＣＨ伝送の場合：ｉ）ＰＣｅｌｌで送信されるＰＤＳＣＨ／ＰＵＳＣＨの場合、ＰＣｅｌｌがＴＤＤ搬送波であるかそれともＦＤＤ搬送波であるかにかかわらず、スケジューリング／ＨＡＲＱタイミングは既存のＰＣｅｌｌタイミングに従い、ii）セルフスケジューリングによってＳＣｅｌｌで送信されるＰＵＳＣＨの場合には、ＳＣｅｌｌがＴＤＤであるかそれともＦＤＤであるかにかかわらず、スケジューリング／ＨＡＲＱタイミングが既存のＳｃｅｌｌタイミングに従い、iii ）ＰＣｅｌｌがＦＤＤ搬送波であり、ＳＣｅｌｌがＴＤＤ搬送波であれば、セルフスケジューリングによってＳＣｅｌｌで送信されるＰＤＳＣＨの場合、ＨＡＲＱタイミングはＰＣｅｌｌタイミングに従う。
【００９９】
ＦＤＤ ＰＣｅｌｌの場合、ＰＣｅｌｌのみでのＰＵＣＣＨを用いたＤＬクロス搬送波スケジューリングの場合、スケジューリングされたサービングセルのＤＬ ＨＡＲＱタイミングはＰＣｅｌｌのタイミングに従う。そして、仮にスケジューリングサービングセルがＦＤＤであり、スケジューリングされたサービングセルがＴＤＤであれば、ＵＬクロス搬送波スケジューリングに対し、スケジューリングされたＴＤＤサービングセルのスケジューリング／ＨＡＲＱタイミングはスケジューリングされたＴＤＤサービングセルのＵＬ／ＤＬ設定に従う。仮に、スケジューリングサービングセルがＴＤＤであり、スケジューリングされたサービングセルがＦＤＤであれば、ＵＬクロス搬送波スケジューリングに対し、スケジューリングされたＦＤＤサービングセルのスケジューリング／ＨＡＲＱタイミングはｉ）１０ｍｓ ＲＴＴ、ii）ＵＬグラント／ＰＨＩＣＨとＰＵＳＣＨの間の４ｍｓ、及びiii ）ＰＵＳＣＨとＰＨＩＣＨの間の６ｍｓに従う。
【０１００】
ＴＤＤ ＰＣｅｌｌセルフ−スケジューリングが支援されれば、ＴＤＤ ＰＣｅｌｌの場合、ＰＣｅｌｌのみでのＰＵＣＣＨを用いたＤＬクロス搬送波スケジューリングに対し、スケジューリングされたサービングセルのＤＬ ＨＡＲＱタイミングはＰＣｅｌｌのタイミングに従う。そして、ＰＣｅｌｌのタイミングはＰＣｅｌｌのＳＩＢ１ ＵＬ／ＤＬ設定又はＰＣｅｌｌのＤＬ−参照ＨＡＲＱタイミングによって決定されたＤＬ ＨＡＲＱタイミングに定義される。
【０１０１】
ＵＬクロス搬送波スケジューリングの場合、スケジューリングサービングセルがＦＤＤであり、スケジューリングされたサービングセルがＴＤＤであれば、ＵＬクロス搬送波スケジューリングに対し、スケジューリングされたＴＤＤサービングセルのスケジューリング／ＨＡＲＱタイミングはスケジューリングされたＴＤＤサービングセルのＵＬ／ＤＬ設定に従う。ＵＬクロス搬送波スケジューリングの場合、スケジューリングサービングセルがＴＤＤであり、スケジューリングされたサービングセルがＦＤＤであれば、ＵＬクロス搬送波スケジューリングに対し、スケジューリングされたＦＤＤサービングセルのスケジューリング／ＨＡＲＱタイミングはｉ）１０ｍｓ ＲＴＴ、ii）ＵＬグラント／ＰＨＩＣＨとＰＵＳＣＨの間の４ｍｓ、及びiii ）ＰＵＳＣＨとＰＨＩＣＨの間の６ｍｓに従う。
【０１０２】
ＦＤＤ ＰＣｅｌｌの場合とＴＤＤ ＰＣｅｌｌ場合には、ＴＤＤ ＰＣｅｌｌが支援され、チャネル選択があるＰＵＣＣＨ ｆｏｒｍａｔ １ｂが適用可能であれば、
【０１０３】
ｉ）ＴＤＤ−ＦＤＤ搬送波集成のためにチャネル選択があるＰＵＣＣＨ ｆｏｒｍａｔ １ｂ及びＰＵＣＣＨ ｆｏｒｍａｔ ３が支援され、
【０１０４】
ii）ＰＣｅｌｌでＦＤＤを使い、ＳＣｅｌｌでＴＤＤを使うときには、チャネル選択があるＰＵＣＣＨ ｆｏｒｍａｔ １ｂが使われ、ＦＤＤ ＡＣＫ／ＮＡＣＫテーブルが使われる。そして、ＰＣｅｌｌでＴＤＤを使い、ＳＣｅｌｌでＦＤＤを使うときには、ＴＤＤ ＡＣＫ／ＮＡＣＫテーブルが使われる。
【０１０５】
iii ）チャネル選択があるＰＵＣＣＨ ｆｏｒｍａｔ １ｂに対し、ＰＣｅｌｌでＦＤＤを使い、ＳＣｅｌｌでＴＤＤを使うとき、ＳＣｅｌｌ上に連関されたＵＬサブフレームが存在すれば、単一ＦＤＤサービングセルのようにＰＵＣＣＨ ｆｏｒｍａｔ １ａ／１ｂが使われる。そうではなければ、チャネル選択があるＰＵＣＣＨ ｆｏｒｍａｔ １ｂが使われる。
【０１０６】
iv）チャネル選択があるＰＵＣＣＨ ｆｏｒｍａｔ １ｂ及び同一のサブフレームでのＨＡＲＱ−ＡＣＫ＋ＳＲ伝送の場合、ＰＣｅｌｌでＦＤＤを使い、ＳＣｅｌｌでＴＤＤを使えば、連合（Ｊｏｉｎｔ）ＨＡＲＱ−ＡＣＫ及び正の（ｐｏｓｉｔｉｖｅ）ＳＲ伝送はＰＵＣＣＨ ｆｏｒｍａｔ １ａ／１ｂによる。そして、連合ＨＡＲＱ−ＡＣＫ及び正のＳＲ伝送がＰＵＣＣＨ ｆｏｒｍａｔ １ａ／１ｂによる場合、連合ＨＡＲＱ−ＡＣＫ及びＳＲの伝送はＲｅｌ−１０／１１でのＴＤＤ搬送波集成と同様に適用される。
【０１０７】
ｖ）ＰＵＣＣＨ ｆｏｒｍａｔ ３又はＰＵＳＣＨ上でのＨＡＲＱ−ＡＣＫ伝送の場合、ＰＣｅｌｌでＦＤＤを使い、ＳＣｅｌｌでＴＤＤを使えば、ＵＬサブフレームで送信されるＨＡＲＱ−ＡＣＫビットの数は各サービングセル別に設定された下りリンク伝送モード及び関連ＤＬサブフレームを有するサービングセルの数によって決定される。
【０１０８】
多数のＴＡＧがＴＤＤセルとＦＤＤセルの間に設定されることができる。現在仕様にはＴＤＤセルとＦＤＤセルの間の最大ＴＸタイミング差である３２．４７ｕｓを維持するために更なる処理が不要である。
【０１０９】
ＴＤＤセルとＦＤＤセルにわたる単一ＴＡＧに関連し、ＴＤＤセルとＦＤＤセルがＰＴＡＧにあるとき、ＴＤＤセルとＦＤＤセルの間の端末の伝送サブフレーム境界は現在仕様に対する更なる処理なしで整列されることができる。あるいは、ＴＤＤセルとＦＤＤセルがＳＴＡＧにある場合、端末はＳＴＡＧのために６２４Ｔｓに相当するＮＴＡオフセットを使うことになる。
【０１１０】
ＤＲＸ動作の場合、ＰＤＣＣＨ−サブフレーム定義に加え、ＨＡＲＱ ＲＴＴタイマーに対する影響がある。ＤＬ ＨＡＲＱタイミングに対する物理階層合意を要約すれば次の通りである。
【０１１１】
１）ＤＲＸ動作の場合、ＰＤＣＣＨ−サブフレーム定義に加え、ＨＡＲＱ ＲＴＴタイマーに対する影響がある。ＤＬ ＨＡＲＱタイミングに対するＲＡＮ１の合意を要約すれば次の通りである。ｉ）ＰＣｅｌｌ上で送信されるＰＤＳＣＨ／ＰＵＳＣＨの場合、スケジューリング／ＨＡＲＱタイミングはＰＣｅｌｌがＴＤＤ搬送波であるかそれともＦＤＤ搬送波であるかにかかわらず、既存のＰＣｅｌｌタイミングに従い、ii）ＰｃｅｌｌがＦＤＤ搬送波であり、ＳＣｅｌｌがＴＤＤ搬送波であるときは、セルフ−スケジューリングによってＳｃｅｌｌ上で送信されるＰＤＳＣＨ場合、ＨＡＲＱタイミングはＰｃｅｌｌタイミングに従う。
【０１１２】
２）ＤＬクロス搬送波スケジューリング：ＰＣｅｌｌのみでのＰＵＣＣＨを用いたＤＬクロス搬送波スケジューリングの場合、スケジューリングされたサービングセルのＤＬ ＨＡＲＱタイミングはＰＣｅｌｌのタイミングに従う。
【０１１３】
３）ＴＤＤ ＰＣｅｌｌセルフ−スケジューリングが支援される場合、ＴＤＤ ＰＣｅｌｌの場合のＤＬクロス搬送波スケジューリング：ＰＣｅｌｌのみでのＰＵＣＣＨを用いたＤＬクロス搬送波スケジューリングの場合、スケジューリングされたサービングセルのＤＬ ＨＡＲＱタイミングはＰＣｅｌｌのタイミングに従う。
【０１１４】
ここで、ＰＣｅｌｌタイミングはＰＣｅｌｌのＳＩＢ１ ＵＬ／ＤＬ設定によって決定されたＤＬ ＨＡＲＱタイミング又はｅＩＭＴＡのためのＰＣｅｌｌのＤＬ−基準ＨＡＲＱタイミングに定義される。
【０１１５】
したがって、端末がＴＤＤ−ＦＤＤ ＣＡに設定される場合、ＰＣｅｌｌがＦＤＤであれば、ＴＤＤ ＳＣｅｌｌに対してＨＡＲＱタイミングはＦＤＤに従う。ＴＤＤ ＳＣｅｌｌの場合、ＰＣｅｌｌがＦＤＤであれば、ＨＡＲＱタイミングは表９に従う。
【表９】
2017522747.tif 000017
【０１１６】
物理階層を含む階層１の場合、ＰＣｅｌｌでＰＵＣＣＨ信号が送信されるので、ＰＣｅｌｌ ＴＤＤ設定によってＤＬ ＨＡＲＱタイミングが設定される。階層１でのＰＣｅｌｌ ＴＤＤ設定によって構成することにより、ＡＣＫ／ＮＡＣＫ伝送を含むＨＡＲＱフィードバックはもっと柔軟に遂行されることができる。
【０１１７】
一方、ＭＡＣエンティティ、ＲＬＣエンティティ及びＰＤＣＰエンティティを含む階層２の場合、ＨＡＲＱ ＲＴＴタイマーをＰＣｅｌｌ ＴＤＤ設定によって構成する理由は、端末が再伝送データをもっと効果的にモニタリングすることができるからである。
【０１１８】
実際に階層２の場合、ＰＣｅｌｌ又はＳＣｅｌｌでＰＵＣＣＨ伝送が遂行されるかは重要ではない。しかし、ＤＬ伝送／再伝送のタイムラインを考慮しなければならない場合には、ＰＣｅｌｌ ＴＤＤ設定によって設定されたＨＡＲＱ ＲＴＴタイマーがもっと効果的であるのは明らかである。
【０１１９】
ＤＬ伝送／再伝送のタイムラインは次の通りである。端末が特定のセルを介してサブフレームｎで下りリンクデータを受信すれば、端末はＰＣｅｌｌを介してサブフレームｎ＋ｋでこの下りリンクデータに係るＨＡＲＱフィードバックを送信することができる。基地局での処理時間として少なくとも４ｍｓが適用されると仮定すれば、基地局は４個のサブフレーム以後に再伝送を遂行することができる。よって、端末は特定のセルを介してサブフレームｎ＋ｋ＋４から始まる再伝送を受信することができる。
【０１２０】
ここで、ｋは下りリンク伝送と下りリンク伝送に関連したＨＡＲＱ（Ｈｙｂｒｉｄ−ＡＲＱ）フィードバック伝送の間のインターバル（ｉｎｔｅｒｖａｌ）である。
【０１２１】
この場合、ＳＣｅｌｌ ＴＤＤ設定を考慮してｎ＋ｋ＋４を計算すれば、ｋの値はＰＣｅｌｌ ＴＤＤ設定によって決定されたｋの値より小さいか大きいと決定されることができる。よって、端末は元の再伝送タイミングより早く又は遅く再伝送データをモニタリングすることができる。端末がモニトングリングを早く遂行すれば、バッテリー消耗が増加することになる。そして、モニタリングを遅く始めれば、再伝送受信時に遅延によって発生する問題がある。よって、本発明では、端末のバッテリー消耗を最小化し、より効率的な再伝送受信のために、ＰＣｅｌｌ ＴＤＤ設定によってＨＡＲＱタイマーを設定することを提案する。
【０１２２】
図９は本発明の実施例による搬送波集成システムにおいてデータを再送信する方法に対する概念図である。
【０１２３】
ＴＤＤ−ＦＤＤ ＣＡが設定された場合、ＨＡＲＱ ＲＴＴタイマーを設定するため、ＨＡＲＱＷ ＲＴＴタイマーは次の通りに設定される：ＦＤＤでは、ＨＡＲＱ ＲＴＴタイマーが８個のサブフレームに設定され、ＴＤＤではＨＡＲＱ ＲＴＴタイマーがｋ＋４個のサブフレームに設定される。ＴＤＤ−ＦＤＤ ＣＡが設定された場合、ＰＣｅｌｌがＦＤＤであれば、ＨＡＲＱ ＲＴＴタイマーは８個のサブフレームに設定され、ＰＣｅｌｌがＴＤＤであれば、ＨＡＲＱ ＲＴＴタイマーはｋ＋４個のサブフレームに設定される。ここで、ｋは下りリンク伝送と下りリンク伝送に関連したＨＡＲＱ（Ｈｙｂｒｉｄ−ＡＲＱ）フィードバック伝送の間のインターバル（ｉｎｔｅｒｖａｌ）である。
【０１２４】
基地局が少なくとも一つのＦＤＤ（Ｆｒｅｑｕｅｎｃｙ Ｄｉｖｉｓｉｏｎ Ｄｕｐｌｅｘ；周波数分割デュプレックス）サービングセル及び少なくとも一つのＴＤＤ（Ｔｉｍｅ Ｄｉｖｉｓｉｏｎ Ｄｕｐｌｅｘ；時間分割デュプレックス）サービングセルを含む複数のセルを設定するとき（Ｓ９０１）、基地局は複数のセルの中でＦＤＤサービングセルに相当するセカンダリーセル（Ｓｅｃｏｎｄａｒｙ Ｃｅｌｌ；ＳＣｅｌｌ）を介してサブフレームｎでデータを送信する（Ｓ９０３）。
【０１２５】
ＰＣｅｌｌが複数のセルの中でＴＤＤサービングセルである場合、基地局はＳＣｅｌｌを介してサブフレームｎでデータを再送信することができる（Ｓ９０５）。
【０１２６】
好ましくは、ｍはｎ＋ｋ＋４より大きいか同一である。
【０１２７】
好ましくは、ｋは下りリンク伝送と下りリンク伝送に関連したＨＡＲＱ（Ｈｙｂｒｉｄ−ＡＲＱ）フィードバック伝送の間のインターバル（ｉｎｔｅｒｖａｌ）である。
【０１２８】
ＰＣｅｌｌが複数のセルの中でＦＤＤサービングセルである場合、基地局はＳＣｅｌｌを介してサブフレームｍでデータを再送信する（Ｓ９０７）。
【０１２９】
好ましくは、ｍはｎ＋８より大きいか同一である。
【０１３０】
図１０は本発明の実施例による搬送波集成システムにおいてＨＡＲＱ ＲＲＴタイマーを設定する方法に対する概念図である。
【０１３１】
端末がＦＤＤサービングセルであるＳＣｅｌｌを介してサブフレームｎでデータを受信する場合（Ｓ１００１）、基地局は、ＰＣｅｌｌがＴＤＤサービングセルである場合、ＨＡＲＱ ＲＴＴタイマー値ｋ＋４個のサブフレームに設定することにより、ＨＡＲＱ ＲＴＴタイマーを設定する（Ｓ１００３）。
【０１３２】
そして、端末は、Ｓ１００３のＨＡＲＱ ＲＴＴ ｔｉｍｅｒによって、ＳＣｅｌｌを介してサブフレームｎ＋ｋ＋４から始めてデータの再伝送をモニタリングすることができる（Ｓ１００５）。
【０１３３】
好ましくは、ｋはＳＣｅｌｌでの下りリンクデータ伝送とＰＣｅｌｌでの下りリンクデータ伝送に関連したＨＡＲＱ（Ｈｙｂｒｉｄ−ＡＲＱ）フィードバック伝送の間のインターバル（ｉｎｔｅｒｖａｌ）である。
【０１３４】
一方、ＰＣｅｌｌがＦＤＤサービングセルであれば、端末はＨＡＲＱ ＲＴＴタイマー値８個のサブフレームに設定することにより、ＨＡＲＱ ＲＴＴタイマーを設定する（Ｓ１００７）。
【０１３５】
そして、端末はＳ１００７のＨＡＲＱ ＲＴＴ ｔｉｍｅｒによって、ＳＣｅｌｌを介してサブフレームｎ＋８から始めてデータの再伝送をモニタリングすることができる（Ｓ１００９）。
【０１３６】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、または、他の実施例の対応する構成又は特徴に置換されてもよい。特許請求の範囲において明示的な引用関係にない請求項を結合して実施例を構成したり、出願後の補正によって新しい請求項として含めたりできるということは明らかである。
【０１３７】
本発明の実施例において、基地局（ＢＳ）によって行われると説明された特定の動作は、上位ノードのＢＳによって行われてもよい。ＢＳを含む複数のネットワークノードで、ＭＳとの通信のために行われる様々な動作が、基地局によって行われたり、基地局以外の他のネットワークノードによって行われ得ることは明らかである。「ｅＮＢ」は、「固定局（ｆｉｘｅｄ  ｓｔａｔｉｏｎ）」、「ＮｏｄｅＢ」、「基地局（ＢＳ）」、アクセスポイントなどの用語に代替されてもよい。
【０１３８】
上述した実施例は、例えば、ハードウェア、ファームウエア、ソフトウェアまたはこれらの組み合わせのような様々な手段によって具現されてもよい。
【０１３９】
ハードウェアの設定において、本発明の実施例に係る方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されてもよい。
【０１４０】
ファームウエアやソフトウェアによる具現の場合、本発明の一実施例は、以上で説明された機能又は動作を行うモジュール、手順、関数などの形態で具現されてもよい。ソフトウェアコードは、メモリユニットに格納され、プロセッサによって駆動され得る。メモリユニットは、プロセッサの内部又は外部に位置して、公知の様々な手段によってプロセッサとデータを交換することができる。
【０１４１】
本発明は、本発明の特徴を逸脱しない範囲で他の特定の形態に具体化できるということは、当業者にとって自明である。したがって、上記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１４２】
上述した方法は、３ＧＰＰ  ＬＴＥシステムに適用される例示を中心に説明されたが、本発明は、３ＧＰＰ  ＬＴＥシステムのみならず様々な無線通信システムに適用可能である。
【図１】
2017522747.tif 000018
【図２Ａ】
2017522747.tif 000019
【図２Ｂ】
2017522747.tif 000020
【図３】
2017522747.tif 000021
【図４】
2017522747.tif 000022
【図５】
2017522747.tif 000023
【図６】
2017522747.tif 000024
【図７】
2017522747.tif 000025
【図８】
2017522747.tif 000026
【図９】
2017522747.tif 000027
【図１０】
2017522747.tif 000028
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
無線通信システムで動作する基地局に対する方法であって、
少なくとも一つの周波数分割デュプレックス（ＦＤＤ）サービングセル及び少なくとも一つの時間分割デュプレックス（ＴＤＤ）サービングセルを含む複数のセルを設定するステップと、
前記複数のセルのＦＤＤサービングセルに相当するセカンダリーセル（ＳＣｅｌｌ）を介してサブフレーム＃ｎでデータを送信するステップと、
セルに対するＨＡＲＱフィードバックを伝送する前記セルが前記複数のセルのＴＤＤサービングセルである場合、前記ＳＣｅｌｌを介してサブフレーム＃ｍで前記データを再送信するステップと、を含み、
ｍは、ｎ＋ｋ＋４より大きいか同一であり、
ｋは下りリンク伝送と関連したＨＡＲＱフィードバックの伝送との間のインターバルである、方法。
【請求項２】
前記セルが前記ＴＤＤサービングセルである場合、ＲＲＴタイマーの値は、ｋ＋４個のサブフレームに設定される、請求項１に記載の方法。
【請求項３】
前記セルが前記複数のセルのＦＤＤサービングセルである場合、前記ＳＣｅｌｌを介してサブフレーム＃ｍで前記データを再送信するステップをさらに含み、
ｍはｎ＋８より大きいか同一である、請求項１に記載の方法。
【請求項４】
前記セルが前記ＦＤＤサービングセルである場合、ＲＲＴタイマーの値は、８個のサブフレームに設定される、請求項１に記載の方法。
【請求項５】
前記セルに対するＨＡＲＱフィードバックを伝送する前記セルは、プライマリーセルである、請求項１に記載の方法。
【請求項６】
無線通信システムで動作する端末に対する方法であって、
周波数分割デュプレックス（ＦＤＤ）サービングセルであるセカンダリーセル（ＳＣｅｌｌ）を介してサブフレーム＃ｎでデータを受信するステップと、
セルに対するＨＡＲＱフィードバックを伝送する前記セルが時間分割デュプレックス（ＴＤＤ）サービングセルである場合、前記ＳＣｅｌｌを介してサブフレームｎ＋ｋ＋４から始まる前記データの再伝送をモニタリングするステップと、を含み、
ｋは前記ＳＣｅｌｌでの下りリンクデータ伝送と前記セルでの下りリンクデータ伝送に関連したＨＡＲＱフィードバックの伝送との間のインターバルである、方法。
【請求項７】
前記セルが前記ＴＤＤサービングセルである場合、ＲＲＴタイマーの値をｋ＋４個のサブフレームに設定するステップをさらに含む、請求項６に記載の方法。
【請求項８】
前記セルが前記ＦＤＤサービングセルである場合、ＲＲＴタイマーの値を８個のサブフレームに設定するステップをさらに含む、請求項６に記載の方法。
【請求項９】
前記セルが複数のセルのＦＤＤサービングセルである場合、前記ＳＣｅｌｌを介してサブフレーム＃ｎ＋８から始まる前記データの再伝送をモニタリングするステップをさらに含む、請求項６に記載の方法。
【請求項１０】
前記セルに対するＨＡＲＱフィードバックを伝送する前記セルは、プライマリーセルである、請求項６に記載の方法。
【請求項１１】
無線通信システムで動作する基地局であって、
ＲＦモジュールと、
前記ＲＦモジュールと動作可能に接続されるプロセッサと、を含み、
前記プロセッサは、少なくとも一つの周波数分割デュプレックス（ＦＤＤ）サービングセル及び少なくとも一つの時間分割デュプレックス（ＴＤＤ）サービングセルを含む複数のセルを設定し、前記複数のセルのＦＤＤサービングセルに相当するセカンダリーセル（ＳＣｅｌｌ）を介してサブフレーム＃ｎでデータを送信し、セルに対するＨＡＲＱフィードバックを伝送する前記セルが前記複数のセルのＴＤＤサービングセルである場合、前記ＳＣｅｌｌを介してサブフレーム＃ｍで前記データを再送信するよう構成され、
ｍは、ｎ＋ｋ＋４より大きいか同一であり、
ｋは下りリンク伝送と関連したＨＡＲＱフィードバックの伝送との間のインターバルである、基地局。
【請求項１２】
前記セルが前記ＴＤＤサービングセルである場合、ＲＲＴタイマーの値は、ｋ＋４個のサブフレームに設定される、請求項１１に記載の基地局。
【請求項１３】
前記プロセッサは、前記セルが前記複数のセルのＦＤＤサービングセルである場合、前記ＳＣｅｌｌを介してサブフレーム＃ｍで前記データを再送信するようさらに構成され、ｍはｎ＋８より大きいか同一である、請求項１１に記載の基地局。
【請求項１４】
前記セルが前記ＦＤＤサービングセルである場合、ＲＲＴタイマーの値は、８個のサブフレームに設定される、請求項１１に記載の基地局。
【請求項１５】
前記セルに対するＨＡＲＱフィードバックを伝送する前記セルは、プライマリーセルである、請求項１１に記載の基地局。
【請求項１６】
無線通信システムで動作する端末であって、
ＲＦモジュールと、
前記ＲＦモジュールと動作可能に接続されるプロセッサと、を含み、
前記プロセッサは、周波数分割デュプレックス（ＦＤＤ）サービングセルであるセカンダリーセル（ＳＣｅｌｌ）を介してサブフレーム＃ｎでデータを受信し、セルに対するＨＡＲＱフィードバックを伝送する前記セルがＴＤＤサービングセルである場合、前記ＳＣｅｌｌを介してサブフレームｎ＋ｋ＋４から始まる前記データの再伝送をモニタリングするよう構成され、
ｋは前記ＳＣｅｌｌでの下りリンクデータ伝送と前記セルでの下りリンクデータ伝送に関連したＨＡＲＱフィードバックの伝送との間のインターバルである、端末。
【請求項１７】
前記プロセッサは、前記セルがＴＤＤサービングセルである場合、ＲＲＴタイマーの値をｋ＋４個のサブフレームに設定するようにさらに構成される、請求項１６に記載の端末。
【請求項１８】
前記プロセッサは、前記セルが複数のセルのＦＤＤサービングセルである場合、前記ＳＣｅｌｌを介してサブフレーム＃ｎ＋８から始まる前記データの再伝送をモニタリングするようにさらに構成される、請求項１６に記載の端末。
【請求項１９】
前記プロセッサは、前記セルが前記ＦＤＤサービングセルである場合、ＲＲＴタイマーの値を８個のサブフレームに設定するようにさらに構成される、請求項１６に記載の端末。
【請求項２０】
前記セルに対するＨＡＲＱフィードバックを伝送する前記セルは、プライマリーセルである、請求項１６に記載の端末。
【国際調査報告】
2017522747.tif 000029
2017522747.tif 000030
2017522747.tif 000031